(57)【要約】【課題】  季節による要求や個人への適合のために保温性の調整が可能な掛布団を提供する。【解決手段】  側地に補助用保温材の収容部を設けて、あるいは包布に補助用保温材の収容部を設けて、補助用保温材の種類を取り替えることによって保温性を調整する。【選択図】      図３
2005204769.tif 000002
【特許請求の範囲】
【請求項１】
掛布団の表側の側地あるいは裏側の側地に補助用保温部材の収容部が設けられていることを特徴とする保温性の調整可能な掛布団。
【請求項２】
補助用保温部材の収容部が部分的に設けられている請求項１記載の保温性の調整可能な掛布団。
【請求項３】
主たる保温部材を収容する袋部と補助的に保温部材を収容する袋部とを有する二層包布が用いられ、主たる保温部材を収容する袋部に、主たる保温部材が収容され、補助用保温部材を収容する袋部に補助用保温部材が収容されていることを特徴とする保温性の調整可能な掛布団。
【発明の詳細な説明】
【技術分野】
【０００１】
本発明は、掛布団に関するものであり、特に病院や療養施設等において使用するのに好適な掛布団に関するものである。
【背景技術】
【０００２】
従来から掛布団としては、綿や合成繊維綿を製綿して中綿とし布製の側地で覆い、キルティング加工や和綴じ加工等の綿止めを施したものが多く用いられている。そして通常掛布団として用いる時には、これに包布を被せて用いる。
また、季節によりこのような掛布団に毛布やタオルケットを重ねて使用したり、冬季の冷え込みが厳しい時には、掛布団を重ねて使用する場合もある。病院や療養施設等では、温調していたとしても同室に複数の人がいる場合には、全ての人に合った温調という状態には出来ないので、各自が自分にあった状態になるよう掛布団に重ねたり、上半身だけとか、足元だけに重ねたりして調節している。
ところが、このように掛布団に重ねて用いた際には、寝返りを打った際等にずれてしまって、寒さを感じて目覚めたり重ねて用いた意味がない状態になってしまうことが多い。ベッドの場合には、幅がせまいと落ちてしまうこともある。
掛布団がはだけたり、ベッドからずり落ちることを防止する方法としては、特開２００１−１６９８８５号公報に敷布団の上に敷くシーツを工夫する方法が提案されているが、補助的保温材料として毛布やタオルケット等を重ねて用いる場合に、重ねて用いたものがはだけたり、ずり落ちることへの対策としては不充分なものである。
【特許文献１】特開２００１−１６９８８５号公報
【発明の開示】
【発明が解決しようとする課題】
【０００３】
本発明は、上記のような現状を鑑みてなされたものであり、季節による要求や個人への適合のために保温性の調整が可能な掛布団を提供することを課題とするものである。
【課題を解決するための手段】
【０００４】
本発明は、上記の課題を解決するものであり、掛布団の表側の側地あるいは裏側の側地に補助用保温部材の収容部が設けられていることを特徴とする保温性の調整可能な掛布団、及び補助用保温部材の収容部が部分的に設けられている請求項１記載の保温性の調整可能な掛布団、並びに主たる保温部材を収容する袋部と補助的に保温部材を収容する袋部とを有する二層包布が用いられ、主たる保温部材を収容する袋部に、主たる保温部材が収容され、補助用保温部材を収容する袋部に補助用保温部材が収容されていることを特徴とする保温性の調整可能な掛布団を要旨とするものである。
【０００５】
本発明の第１発明である表側の側地あるいは裏側の側地に補助用保温部材の収容部が設けられていることを特徴とする保温性の調整可能な掛布団の代表的な構造を図１〜図４に示す。図１において、主たる保温部材１は、表側の側地２と裏側の側地３で形成された袋に収容されている。そして表側の側地２には、この側地２に重ねて側地４が縫着されて補助用保温部材５の収容部が設けられている。この補助用保温部材５の収容部は、補助用保温部材の種類の異なるものを入れ替えて使用したり、補助用保温部材を用いないで使用したりできるように補助用保温部材の交換が容易な構造にしておくのが好ましい。例えば、掛布団の長辺だけ縫着したり、短辺だけ縫着して、今一方は筒抜けの構造にしておいてもよい。
【０００６】
図１は、補助用保温部材５の収容部を表側地２の全面に設けた例であるが、図２のように補助用保温部材５の収容部を表側地２の一部分に設けてもよい。
図２は、掛布団の半分程度に補助用保温部材５の収容部を設けた例であり、上半身の保温性を増したり、足元が冷えにくいようにする場合に好適である。
補助用保温部材５の収容部を表側地２の一部分に設ける場合に、側地４の２辺を縫着して筒抜けの構造としてもよいが、図３や図４に示す構造とすることもできる。    
【０００７】
図３は、補助用保温部材５の収容部を表側地２の一部分に設けた場合の収容部の形成の仕方の一例を示す斜視図である。図３において、補助用保温部材５の収容部を形成する側地４は、表側地の中央部に片側が縫着され、今一方側にはスナップボタン７が取り付けられている。側地４は補助用保温部材５を覆うように被せられ、表側地に取り付けられたスナップボタン６と係合されることにより補助用保温部材５の収容部を形成する。
【０００８】
図４は、補助用保温部材５の収容部を表側地２の一部分に設けた場合の収容部の形成の仕方の別の例を示す斜視図である。図４において、補助用保温部材５の収容部を形成する側地４は、布団の縁に沿った部分の３辺は縫着され、中央部に収納口を設けてある。この場合、図４のように半分の長さの補助用保温部材５を収容して用いることもできるし、主たる保温部材と同等の長さの補助用保温部材を半分収容部に収容して用い、全体の保温性を上げる効果を得ることもできる。
【０００９】
本発明のいずれの場合においても、補助用保温部材５が使用中にずれたりしないように補助用保温部材５にスナップボタンを取り付けて、側地に取り付けたスナップボタンと係合させて固定しておくこともできる。
【００１０】
図１〜図４に示す掛布団には、通常従来用いられている包布や掛布団カバーを被せて用いるのが好ましい。包布が汚れた場合等の包布の取替や包布の洗濯は従来の包布の取扱いと同様にすればよい。
【００１１】
本発明の掛布団の主たる保温部材としては、中綿として綿、羊毛、絹等の天然素材綿やポリエステル、アクリル等の合成繊維綿等を製綿したものや、図５に示すような綿、羊毛、絹等の天然素材綿やポリエステル、アクリル等の合成繊維綿等を製綿したものや羽毛をインナー側地袋９に収容した中素材パック、場合によっては、毛布やタオルケットを用いることができる。
【００１２】
また主たる保温部材として、図６や図７に示すように織物、経編地、不織布等の布帛を芯地１１とし、芯地の外縁を残しながら、中綿８をインナー側地９で覆うように芯地１１とインナー側地９を縫着し、さらに芯地１１と中綿８とインナー側地９とを合わせてキルティング加工や和綴じ加工等の綿止め１０が施されてなる中素材パックを用いることができる。この場合、芯地の外縁部分を側地に縫着したり、テープ付きスナップ１２等を用いて着脱自在にしておく。このようにしておくと、掛布団を丸洗いして乾燥する時に、斜め方向の異常張力がかかっても布団が変形したり、綿切れを起こしたりするのを抑制することができる。図６は、芯地１１の片面に中綿８が存在する場合である。図７は、芯地の両側に中綿が存在する場合を示している。図７の中素材パックとする場合、図６に示す中素材パックに相当するものを２つ作成し、芯地面を合わせて芯地の外縁部を縫着して得るのが作業性の点で好ましい。この場合、両面の綿止め１０の位置を図７に示すようにずらしておくと、同じ位置に綿止めした場合より綿止め部分からの熱の放射を少なく、保温性の点で好ましい。
【００１３】
補助用保温部材は、保温性を調整するために用いる毛布やタオルケットを用いることができ、極寒時の保温用としては、主たる保温部材と同じ中綿として綿、羊毛、絹等の天然素材綿やポリエステル、アクリル等の合成繊維綿等を製綿したものや羽毛をインナー側地袋に収容した中素材パック等を用いることもできる。
図２〜図４のように一部分に補助用保温部材の収納部を設けた場合には、毛布やタオルケットをその大きさにたたんだり、その大きさに切ったものを用意して用いたり、中綿入りの小布団を作成して用いる。
【００１４】
側地に用いる布帛としては、木綿１００％やポリエステル／木綿混紡糸使い等の吸湿性を考慮した素材の織物や経編地を用いるのが好ましい。
【００１５】
本発明の第２発明の掛布団は、主たる保温部材を収容する袋部と補助的に保温部材を収容する袋部とを有する二層包布が用いられ、主たる保温部材を収容する袋部に、主たる保温部材が収容され、補助用保温部材を収容する袋部に補助用保温部材が収容されている。第１発明の掛布団との違いは、第１発明が掛布団の側地を二重にして補助用保温部材を収容するのに対して、第２発明の掛布団は、包布を二重にして補助用保温部材を収容している。いずれも保温性を調節するために補助用保温部材の種類を取り変えたり、補助用保温部材を用いずに使用に供する点は同じである。また、補助用保温部材を収容する袋部を包布の一部に設けて部分的に保温性向上を図る構造とすることができる点も両発明は共通している。
【００１６】
この場合も主たる保温部材としては、中綿として綿、羊毛、絹等の天然素材綿やポリエステル、アクリル等の合成繊維綿等を製綿したものや羽毛をインナー側地袋に収容した中素材パック、場合によっては、毛布やタオルケットを用いることができる。補助用保温部材としても、保温性を調整するために用いる毛布やタオルケットを用いることができ、極寒時の保温用としては、主たる保温部材と同じ中綿として綿、羊毛、絹等の天然素材綿やポリエステル、アクリル等の合成繊維綿等を製綿したものや羽毛をインナー側地袋に収容した中素材パック等を用いることもできる。
【発明の効果】
【００１７】
本発明の第１発明の掛布団は、側地袋に補助用保温材を収容する部分を設けてあるので、補助用保温材を用いなかったり、補助用保温材の種類を取り変えたりして保温性を調整することができる。また、一部分に補助用保温材の収容部を設けておくと、部分的に保温性向上を図ることができるようになる。
【００１８】
本発明の第２発明の掛布団は、包布を二重にして補助用保温材を収容する構造となっているので、補助用保温材を取り外したり、補助用保温材の種類を取り変えたりすることが容易にできて、保温性の調整を用意に行うことができる。
いずれの発明においても、補助用保温材を重ねて用いても一体化されているので、寝返りを打ったりしても、片方がずれたり、落ちたりして保温性を損なうことを防止することができる。  
【発明を実施するための最良の形態】
【００１９】
本発明の掛布団は、図１〜図４に例示するように、側地に補助用保温材の収容部を設けて、あるいは包布に補助用保温材の収容部を設けて、補助用保温材の種類を取り替えることによって保温性を調整するものである。
以下、具体例により本発明を説明する。
【実施例１】
【００２０】
２０００ｍｍ×１４００ｍｍの綿織物製の側地袋に６．６デシテックス×５１ｍｍのポリエステル綿の製綿１．５ｋｇを封入した掛布団の表側地に、２０００ｍｍ×１４００ｍｍの綿織物を重ねて短辺を縫着して補助保温部材の収容部を形成させて、図１に示す構造の本発明の保温性調整可能な掛布団を得た。この補助保温部材の収容部に同サイズの毛布を収納して用い、保温性を調整することが可能なことを確認した。
【実施例２】
【００２１】
２０００ｍｍ×１４００ｍｍの綿織物製の側地袋に６．６デシテックス×５１ｍｍのポリエステル綿の製綿１．５ｋｇを封入した掛布団の表側地の中央部に、補助保温部材の収容部を形成する側地の１辺を縫着し、この側地の他辺と表側地の縁部とに取り付けたスナップボタンを係合して補助保温部材の収容部を形成させて図３に示す構造の補助保温部材の収容部を部分的の設けた本発明の保温性調整可能な掛布団を得た。この補助保温部材の収容部に９００ｍｍ×１３５０ｍｍの綿織物製の側地袋に６．６デシテックス×５１ｍｍのポリエステル綿の製綿０．６ｋｇを封入した小布団を収納して用い、保温性を調整することが可能なことを確認した。
【実施例３】
【００２２】
２０００ｍｍ×１４００ｍｍの掛布団を収容できる綿織物製の包布の表側に同サイズの綿織物を短辺同士縫着して補助保温部材の収容部を形成し、主たる保温部材としては２０００ｍｍ×１４００ｍｍの綿織物製の側地袋に６．６デシテックス×５１ｍｍのポリエステル綿の製綿１．５ｋｇを封入した掛布団を、補助保温部材としては、同サイズのタオルケットを収容して本発明の保温性調整可能な掛布団を得た。
【図面の簡単な説明】
【００２３】
【図１】補助用保温部材の収容部を表側地の全面に設けた本発明の一例の断面図である。
【図２】補助用保温部材の収容部を表側地の一部分に設けた本発明の一例の断面図である。
【図３】補助用保温部材の収容部を表側地の一部分に設けた場合の内、収容部を形成する側地の片方をスナップで留める例を示す斜視図である。
【図４】補助用保温部材の収容部を表側地の一部分に設けた場合の内、収容部の収納口を中央部に設けた例を示す斜視図である。
【図５】本発明において用いることのできる主たる保温部材の構造一例を示す斜視・断面図である。
【図６】本発明において用いることのできる主たる保温部材の構造一例を示す斜視・断面図である。
【図７】本発明において用いることのできる主たる保温部材の構造一例を示す斜視・断面図である。
【符号の説明】
【００２４】
１  主たる保温部材
２  表側地
３  裏側地
４  補助用保温部材の収容部を形成する側地
５  補助用保温部材
６  スナップボタン
７  スナップボタン
８  中綿
９  インナー側地
１０  綿止め
１１  芯地
１２  スナップボタン
【図１】
2005204769.tif 000003
【図２】
2005204769.tif 000004
【図３】
2005204769.tif 000005
【図４】
2005204769.tif 000006
【図５】
2005204769.tif 000007
【図６】
2005204769.tif 000008
【図７】
2005204769.tif 000009